(57)【特許請求の範囲】
【請求項１】
混合容器および混合容器内で揺動する混合羽根を有するパテ混合装置において、
混合容器をモータ等の駆動により回転方向を一定期間毎に正回転、逆回転させるように電気回路を設け、
揺動可能に設置された混合羽根は、揺動アームの取付部から一方の端部では混合容器の深さより高く、もう一方の端部においては混合容器の深さの４分の１程度の高さに構成され、回転方向による混合時のパテの抵抗によって容器内面に何れか一方の端部が当接されて容器内のパテを混合する
ことを特徴とするパテ混合装置。
【請求項２】
混合羽根を軸支する揺動アームが混合容器内のパテの抵抗により揺動することを特徴とする請求項１のパテ混合装置。
【発明の詳細な説明】
【０００１】
【産業上の利用分野】
本発明は、内装工事や塗装工事等で下地調整のために使用されるパテ混合装置に関するものである。
【０００２】
【従来の技術】
建物の内装工事では、壁面の下地を平滑にするためにパテ塗布作業が行われている。使用されるパテは工事現場でパテ混合装置によりパテ粉と水とを混合し、粘度調整を行った後に、使用される。パテ混合装置としては、特開平９−２９０８７号や特開平１１−１８８２５０号があり、パテ混合方法として特開平１１−１８８２５１号等が知られ使用されている。
【０００３】
例えば特開平１１−１８８２５１号では、混合容器および混合容器内で揺動する混合羽根の揺動アームを駆動する駆動歯車系を備えたパテの混合方法において、揺動アームをクランク機構により回動する歯車の回転中の予め定められた回転角間は揺動アームが回動しないように構成し、揺動アームを駆動する歯車と混合容器を回転する歯車の歯車比を上記回転角対３６０°の略逆数としたことを特徴とするパテの混合方法であり、揺動アームを駆動する歯車の回転中の一定回転角間は揺動アームが回動しないようにし、その回転角間に混合容器が１回転するように構成したので、揺動アームの回動停止中に混合羽根を混合容器に当接するように設定することにより、混合羽根の１回転中にわたり混合羽根が側壁に付いたパテを掻き取り、それ以外の工程において混合容器内を回動するようにすることにより、以前に比べて、混合羽根の揺動速度、揺動運動の回数を小さくすることができ、パテの混合時に気泡の混入をすくなくすることができる作用を有する。
【０００４】
構成については図３に示すように  ２１はパテ混合装置本体、２２は先端に混合羽根２３を設けた揺動アーム、２６は混合容器である。混合容器２６は混合装置本体２１に内蔵した平歯車３６の軸３８に軸支されて回転する回転台２５に係止されており、揺動アーム２２はロッカーアーム３１、連結ピン３２、連接棒３３およびピン３４を介して平歯車３０に連設しており、平歯車３０の回転により回動する構成となっている。２４はフェイスギヤーで、フェイスギヤー２４の軸３５に固設された平歯車２９、平歯車３０、および平歯車３６で駆動歯車機構を構成している。
【０００５】
駆動用モーターを内蔵した駆動装置２７は混合装置本体２１と分離可能に設けられており、駆動装置２７は駆動装置２７の側面に取着した係止ピン（図示せず）を装置本体２１に装着することができる。ピニオン２８は装置本体２１に設けたフェイスギヤ２４と噛合し、モーターの回転を各歯車に伝達する機構となっている。
【０００６】
平歯車３０は混合容器２６を回転する平歯車３６と噛合して同時に回転しており、平歯車３０と平歯車３６の歯数比を適宜設定することにより、混合容器２６の回転における揺動アーム２２の回転数を決めることができる。
【０００７】
例えば、平歯車３０の歯数と平歯車３６の歯数を３対１になるように設定すると、混合容器の３回転で揺動アームが１往復することとなり、連結ピン３２が回動しない回転角を１２０°に設定し、この間において混合羽根２３が混合容器２６の側壁に当接したままの状態となり、側壁に付着したパテを掻き取り、残りの２回転において混合羽根２３が揺動運動を行うことになる。
【０００８】
【発明が解決しようとする課題】
以上説明したように従来のパテ混合装置は、混合羽根を強制的に揺動するので複雑なリンク機構やカム駆動機構および歯車を有している。全体として大きな装置になる。また、少量のパテ（約１〜３ｋｇ程度）の混合をするには装置が大きいために適用し難かった。本発明は機械的機能を低下することなく装置の機構を簡略化し、全体を小型化して経済性にも富んだパテ混合装置を提供するものである。
【０００９】
【課題を解決するための手段】
本発明のパテ混合装置は、水平に回転する混合容器内のパテの抵抗を利用して混合羽根の揺動アームを揺動させるものであり、パテと水が均一に混合されることを目的として、混合容器の回転方向を電気的回路により一定の秒数間で正回転から逆回転に，また逆回転から正回転に変更可能で、またこの変更を繰り返すものである。
【００１０】
請求項１に記載の発明は、混合容器および混合容器内で揺動する混合羽根を有するパテ混合装置において、混合容器をモータ等の駆動により回転方向を一定期間毎に正回転、逆回転させるように電気回路を設け、揺動可能に設置された混合羽根は、揺動アームの取付部から一方の端部では混合容器の深さより高く、もう一方の端部においては混合容器の深さの４分の１程度の高さに構成され、回転方向による混合時のパテの抵抗によって容器内面に何れか一方の端部が当接されて容器内のパテを混合することを特徴とするパテ混合装置であり、駆動源として混合容器の回転のみの容量があれば充分である。
【００１１】
請求項２に記載の発明は、混合容器内のパテが混合容器とともに回転運動することにより混合羽根はパテの抵抗を受けるが、この抵抗の方向が混合容器の回転方向が変わると反対向きになり、この抵抗の方向が変わろうとする時に揺動アームが揺動することである。従来技術のように揺動アームが主動して混合羽根を揺動するのではない。混合容器の回転方向が変わるたびに混合羽根が揺動し、この揺動の繰り返しによりパテは満遍なく均一に容器内に分散され水と混合される。
【００１２】
また、混合羽根は揺動する支点軸を中心に自在に動き得る構造となっている。
したがって揺動角度は構造からの規制を受けない。
【００１３】
【発明の実施の形態】
図１（ａ）および（ｂ），により本発明の実施の形態について説明する。本発明のパテ混合装置は、パテ粉と水を入れる混合容器４と、パテＡを混合する混合羽根３と、混合羽根３を軸支する揺動アーム２と、基台１０に内蔵されたモータ５と、モータ５の軸の先端のピニオン６と、ピニオン６と噛合する歯車８と、歯車８と一体で回転し混合容器４を軸９で軸支する回転台７とにより構成されている。さらにモータの回転方向を一定秒数間ごとに正逆転させる電気回路（図示せず）を有している。混合羽根３は揺動アーム２との取付部より左側（図１（ａ）、図１（ｂ）において）は混合容器４の深さより高いが、右側は混合容器４の深さの４分の１程度で低くなつている。
【００１４】
以上の構成によりパテＡが混合される状況を図２により説明する。パテ粉と水を混合容器４に入れ回転台７に載置し軸支する。モータ５の正逆回転の秒数を設定する。設定秒数は正回転が約３〜４秒、逆回転は正回転の約半分程度が適当である。
【００１５】
（１）スイッチをＯＮするとモータ５の駆動によりピニオン６および歯車８を介して回転台７に軸支された混合容器４が図２（ａ）に示す方向に回転し（説明の便宜上、この方向を正回転とする。）、混合羽根３はパテＡの抵抗で混合容器４に押し付けられて外縁３ａが容器内面に当接する。パテＡは混合容器４の底部からせり上がるようにして、混合羽根３のところに集積する。集積されたパテＡは混合羽根３の反力により混合容器４の中央へ向けて上部から崩れていき後続のパテＡに巻き込まれるようにして混合される。また同時に容器側面に付いているパテＡを混合羽根３の外縁３ａが掻きおとす。
（２）モータ５の電気回路により混合容器４が逆回転に移り始めると、パテＡも混合容器４と同じ方向に移動し始め、混合羽根３の裏側（（１）の時の反対面）に集まり始め、混合羽根３はパテＡの抵抗により図２（ｂ）の矢印の方向へ揺動アーム２を介して移動し始める。
（３）混合容器４が完全に逆回転方向に回転しているときは、図２（ｃ）示す位置に混合羽根３は位置し続けることになるのであるが、その状態について説明する。混合羽根３にかかるパテＡの抵抗は混合容器４の回転方向から矢印ｘおよび矢印ｙとになる。矢印ｘの部分の混合羽根３の高さは低く、パテＡがある程度集積するが、集積されずに混合羽根３を乗り越えて流れるパテＡが生じる。この乗り越えたパテＡが混合容器４の回転により矢印ｙ付近に集積される。ここでも図２（ｃ）に示す位置に混合羽根３を位置させようとする力が働いている。この場合において、矢印ｙの付近の混合羽根３の左側から矢印ｘの方向へ流れるという状態となる。このような流れから発生する抵抗は矢印の流れのパテＡの抵抗で発生する揺動アーム２を左側へ旋回させようとする分力よりも、揺動アーム２を右側へ旋回させようとする分力の方が大きい。さらに揺動アーム２の軸支部に対するモーメントは混合羽根３の外縁３ａ側の軸支部からの距離Ｒｙが、他の外縁３ｂからの距離Ｒｘよりも、正逆転いずれの回転方向の場合においても大きくなるように、混合羽根３は揺動アーム２に対して傾けて取り付けられている。従って揺動アーム２は正逆転の回転方向によってそれぞれ図２（ａ），図２（ｃ）に示す位置に移動することができる。混合容器４の回転方向が逆回転のときは全体として揺動アーム２に働くモーメントは右廻りとなり、図２（ｃ）に示す位置となるのである。その結果、混合羽根３の外縁３ｂは回転する混合容器４に当接し続けることとなる。パテＡは混合容器４の中心付近では高く集積し、外側においては混合容器４に当接している外縁３ｂの高さの羽根を乗り越して反転するように混合されるのである。
（４）混合容器４が再び正回転に移り始めると、パテＡの動きの向きが変わり、パテＡの抵抗により混合羽根３は左へ（図２（ｄ）において）揺動する力をうけ，その結果、揺動アーム２が左方向へ揺動するのである。
【００１６】
このように混合容器４が正回転から逆回転に移るとき、また逆回転から正回転に移るときともに、パテＡの抵抗により混合羽根３は当接している混合容器４から離れて揺動し、揺動後はその位置に停止しつづける力をパテＡの抵抗で受けることになる。
【００１７】
パテＡと混合羽根３が（１）〜（４）の動作をくりかえすことによって混合羽根３の裏側のパテＡを混合容器４の中に混ぜ、また、混合容器４の中央の底の部分のパテＡも容器内に分散しパテ粉と水は満遍なく均一に混合される。
【００１８】
混合容器４の形状は特に円筒型に限ることなく水平断面を楕円形にしても良い。本発明の混合羽根３は混合容器４が回転を始めるとパテＡの抵抗を受けて混合容器４に当接するまで揺動する。揺動アーム２の揺動角度が規制されていないのである。混合容器４の回転が逆向きになると、混合羽根３は前述の混合容器４の内面から離れて混合容器４の回転中心をこえて反対側の容器内面に当接するまで揺動する。混合羽根３は一旦当接すると混合容器４の回転方向が変わるまで混合容器４の外形に追従当接している。そのため、楕円形にしていると、混合容器４の内壁に当接した状態で、混合羽根３を混合容器４の内壁に沿って少し揺動させることができるのである。
【００１９】
混合羽根３の揺動がリンク機構やカム駆動による場合は揺動角度の範囲に規制をうけるため、混合容器４の変形には追従しない。このため混合容器４の方を柔らかいゴム質にしている。本発明の実施例では混合容器４は硬質プラスチックの円筒形としているがもちろん柔らかいゴム質を採用してもよく、また楕円に変形していても混合羽根３は混合容器４に追従する。
【００２０】
【発明の効果】
本発明のパテ混合装置によれば、混合容器と混合羽根と混合羽根を軸支する揺動アームと混合容器の回転駆動源のモータのみのシンプルな構成で、パテを満遍なく均一に混合することができる。リンク機構やカム駆動機構を有しないので、装置全体として小型化が計れて軽量化でき持ち運びもしやすくなる。また構成部材が少ないことから価格的にもすぐれている。
【図面の簡単な説明】
【図１】本発明のパテ混合装置の側面図（ａ）と平面図（ｂ）
【図２】本発明装置によるパテの混合状況を示す図
【図３】従来の混合パテ装置の斜視図
【符号の説明】
Ａ  パテ
１  混合装置本体
２  揺動アーム
３  混合羽根
３ａ外縁
３ｂ外縁
４  混合容器
５  モータ
６  ピニオン
７  回転台
８  歯車
９  軸
１０  基台
【図１】
0004555957.tif 000002
【図２】
0004555957.tif 000003
【図３】
0004555957.tif 000004